(57)【要約】【課題】記念品、証明書としての価値の高い証明書発行システムを提供する。【解決手段】映画のチケットの内容（上映タイトル、上映日、上映時間、座席等）を二次元バーコードでコード化し、表面にプリントしてチケットを発券装置から発券する。証明書発行装置は、チケットにプリントされた二次元バーコードをバーコードリーダで読み取る。そして、その読み取った情報と所定の記念画像とが所定のレイアウトで配置されるように証明書データを生成する。生成した証明書データをプリンタで所定の用紙にプリントし、プリント物を証明書として発行する。【選択図】      図８
2006163717.tif 000002
【特許請求の範囲】
【請求項１】
施設の利用者に当該施設を利用したことを証明する証明書を発行する証明書発行システムであって、
前記施設の利用内容の情報が記録されたチケットを発券する発券手段と、
前記チケットに記録された前記施設の利用内容の情報を読み取る読取手段と、
前記証明書にプリントされる記念画像が格納された記念画像格納手段と、
前記読取手段で読み取られた前記施設の利用内容の情報と前記記念画像とが所定のレイアウトで配置された証明書データを生成する証明書データ生成手段と、
前記証明書データ生成手段で生成された証明書データを所定の用紙にプリントするプリント手段と、
からなり、前記プリント手段でプリントされたプリント物を証明書として発行することを特徴とする証明書発行システム。
【請求項２】
複数の記念画像が格納された前記記念画像格納手段と、
前記記念画像格納手段に格納された記念画像を選択する記念画像選択手段と、
を有し、前記証明書データ生成手段は、前記読取手段で読み取られた前記施設の利用内容の情報と、前記記念画像選択手段で選択された記念画像とが所定のレイアウトで配置されるように証明書データを生成することを特徴とする請求項１に記載の証明書発行システム。
【請求項３】
前記施設の利用内容ごとに記念画像が関連付けられて格納された前記記念画像格納手段と、
前記読取手段で読み取られた情報に基づき対応する記念画像を前記記念画像格納手段から検索する検索手段と、
を有し、前記証明書データ生成手段は、前記読取手段で読み取られた前記施設の利用内容の情報と、前記検索手段で検索された記念画像とが所定のレイアウトで配置されるように証明書データを生成することを特徴とする請求項１に記載の証明書発行システム。
【請求項４】
前記施設の利用内容ごとに複数の記念画像が関連付けられて格納された前記記念画像格納手段と、
前記読取手段で読み取られた情報に基づき対応する複数の記念画像を前記記念画像格納手段から検索する検索手段と、
前記検索手段で検索された複数の記念画像を選択する記念画像選択手段と、
を有し、前記証明書データ生成手段は、前記読取手段で読み取られた前記施設の利用内容の情報と、前記記念画像選択手段で選択された記念画像とが所定のレイアウトで配置されるように証明書データを生成することを特徴とする請求項１に記載の証明書発行システム。
【請求項５】
利用者の個人情報を入力する入力手段を有し、前記証明書データ生成手段は、前記入力手段から入力された利用者の個人情報と、前記読取手段で読み取った情報と、前記記念画像とが所定のレイアウトで配置されるように証明書データを生成することを特徴とする請求項１、２、３又は４に記載の証明書発行システム。
【請求項６】
利用者を撮像する撮像手段を有し、前記証明書データ生成手段は、前記撮像手段で撮像された利用者の画像と、前記読取手段で読み取った情報と、前記記念画像とが所定のレイアウトで配置されるように証明書データを生成することを特徴とする請求項１、２、３又は４に記載の証明書発行システム。
【請求項７】
利用者の個人情報を入力する入力手段と、
利用者を撮像する撮像手段と、
を有し、前記証明書データ生成手段は、前記入力手段から入力された利用者の個人情報と、前記撮像手段で撮像された利用者の画像と、前記読取手段で読み取った情報と、前記記念画像とが所定のレイアウトで配置されるように証明書データを生成することを特徴とする請求項１、２、３又は４に記載の証明書発行システム。
【発明の詳細な説明】
【技術分野】
【０００１】
本発明は証明書発行システムに係り、特に映画館や劇場、テーマパークなどの施設の利用者に施設の利用を証明する証明書を発行する証明書発行システムに関する。
【背景技術】
【０００２】
一般に映画館での映画の鑑賞や劇場での観劇、テーマパークへの入場には入場券が必要となる。入場券は、通常、入場時に一部が切り取られ、利用者には半券が手に残る。利用者の中には、この半券を来場の記念、証明として保管する者も多い。
【０００３】
しかし、この半券はプリントされている内容が文字だけであったり、画像がプリントされている場合であっても、施設の外観やポスターなど他の広告と同じ画像であることが多く、記念品、証明書としての価値に欠けるものが多かった。
【０００４】
そこで、特許文献１では、入場券に付加価値を与えるべく、入場券の表面にレンチキュラーレンズシートを設け、表面にプリントされた画像が立体視できるようにすることが提案されている。
【０００５】
また、特許文献２では、アミューズメント施設等において、入場券を入場ゲートに挿入すると、自動で入場の可否が判定され、入場が許可されると、入場券が回収されて、代わりに記念品が提供されるシステムが提案されている。
【特許文献１】特開２００４−１８８８３７号公報
【特許文献２】特開２００２−５６４１６号公報
【発明の開示】
【発明が解決しようとする課題】
【０００６】
しかしながら、特許文献１の場合、単に従来の入場券の表面を立体視可能にしただけの構成のため、提供される入場券が画一的なものとなり、オリジナリティーがなく、記念品、証明書としての面白みに欠けるといった欠点がある。
【０００７】
また、特許文献２の場合、記念品を必要としない者にまで記念品が提供される構成のため、効率の悪いシステムになってしまうという欠点がある。
【０００８】
本発明はこのような事情に鑑みてなされたもので、記念品、証明書としての価値の高い証明書発行システムを提供することを目的とする。
【課題を解決するための手段】
【０００９】
請求項１に係る発明は、前記目的を達成するために、施設の利用者に当該施設を利用したことを証明する証明書を発行する証明書発行システムであって、前記施設の利用内容の情報が記録されたチケットを発券する発券手段と、前記チケットに記録された前記施設の利用内容の情報を読み取る読取手段と、前記証明書にプリントされる記念画像が格納された記念画像格納手段と、前記読取手段で読み取られた前記施設の利用内容の情報と前記記念画像とが所定のレイアウトで配置された証明書データを生成する証明書データ生成手段と、前記証明書データ生成手段で生成された証明書データを所定の用紙にプリントするプリント手段と、からなり、前記プリント手段でプリントされたプリント物を証明書として発行することを特徴とする証明書発行システムを提供する。
【００１０】
請求項１に係る発明によれば、チケットを発券するに当たり、施設の利用内容の情報が記録されたチケットが発券手段によって発券される。証明書の発行時には、チケットに記録された施設の利用内容の情報が読取手段で読み取られる。そして、その読み取られた施設の利用内容の情報と所定の記念画像とが、所定のレイアウトで配置されるようにプリント用の証明書データが証明書データ生成手段で生成され、生成された証明書データがプリント手段によって所定の用紙にプリントされて、証明書として発行される。これにより、記念、証明として価値の高い証明書を発行することができる。
【００１１】
請求項２に係る発明は、前記目的を達成するために、複数の記念画像が格納された前記記念画像格納手段と、前記記念画像格納手段に格納された記念画像を選択する記念画像選択手段と、を有し、前記証明書データ生成手段は、前記読取手段で読み取られた前記施設の利用内容の情報と、前記記念画像選択手段で選択された記念画像とが所定のレイアウトで配置されるように証明書データを生成することを特徴とする請求項１に記載の証明書発行システムを提供する。
【００１２】
請求項２に係る発明によれば、記念画像が複数用意され、証明書にプリントするものを利用者が選択することができる。これにより、個々の利用者の好みに応じた証明書を発行することができ、記念品、証明書としての価値を更に高めることができる。
【００１３】
請求項３に係る発明は、前記目的を達成するために、前記施設の利用内容ごとに記念画像が関連付けられて格納された前記記念画像格納手段と、前記読取手段で読み取られた情報に基づき対応する記念画像を前記記念画像格納手段から検索する検索手段と、を有し、前記証明書データ生成手段は、前記読取手段で読み取られた前記施設の利用内容の情報と、前記検索手段で検索された記念画像とが所定のレイアウトで配置されるように証明書データを生成することを特徴とする請求項１に記載の証明書発行システムを提供する。
【００１４】
請求項３に係る発明によれば、施設の利用内容に応じて記念画像が用意されており、読取手段で読み取られた施設の利用内容の情報に応じて、証明書にプリントする記念画像が自動で選択される。これにより、施設の利用内容に応じた最適な記念画像がプリントされた証明書を提供することができる。
【００１５】
請求項４に係る発明は、前記目的を達成するために、前記施設の利用内容ごとに複数の記念画像が関連付けられて格納された前記記念画像格納手段と、前記読取手段で読み取られた情報に基づき対応する複数の記念画像を前記記念画像格納手段から検索する検索手段と、前記検索手段で検索された複数の記念画像を選択する記念画像選択手段と、を有し、前記証明書データ生成手段は、前記読取手段で読み取られた前記施設の利用内容の情報と、前記記念画像選択手段で選択された記念画像とが所定のレイアウトで配置されるように証明書データを生成することを特徴とする請求項１に記載の証明書発行システムを提供する。
【００１６】
請求項４に係る発明によれば、施設の利用内容に応じて記念画像が複数用意されており、読取手段で読み取られた施設の利用内容の情報に応じて、証明書にプリントする記念画像の候補が自動で選択される。利用者は、候補として挙げられた記念画像を選択して、証明書にプリントすることができる。これにより、個々の利用者の好みに応じた証明書を発行することができ、記念品、証明書としての価値を更に高めることができる。
【００１７】
請求項５に係る発明は、前記目的を達成するために、利用者の個人情報を入力する入力手段を有し、前記証明書データ生成手段は、前記入力手段から入力された利用者の個人情報と、前記読取手段で読み取った情報と、前記記念画像とが所定のレイアウトで配置されるように証明書データを生成することを特徴とする請求項１、２、３又は４に記載の証明書発行システムを提供する。
【００１８】
請求項５に係る発明によれば、証明書に利用者の個人情報を含めてプリントすることができる。これにより、記念品、証明書としての価値を更に高めることができる。
【００１９】
請求項６に係る発明は、前記目的を達成するために、利用者を撮像する撮像手段を有し、前記証明書データ生成手段は、前記撮像手段で撮像された利用者の画像と、前記読取手段で読み取った情報と、前記記念画像とが所定のレイアウトで配置されるように証明書データを生成することを特徴とする請求項１、２、３又は４に記載の証明書発行システムを提供する。
【００２０】
請求項６に係る発明によれば、証明書に利用者個人を撮影した画像を含めてプリントすることができる。これにより、記念品、証明書としての価値を更に高めることができる。
【００２１】
請求項７に係る発明は、前記目的を達成するために、利用者の個人情報を入力する入力手段と、利用者を撮像する撮像手段と、を有し、前記証明書データ生成手段は、前記入力手段から入力された利用者の個人情報と、前記撮像手段で撮像された利用者の画像と、前記読取手段で読み取った情報と、前記記念画像とが所定のレイアウトで配置されるように証明書データを生成することを特徴とする請求項１、２、３又は４に記載の証明書発行システムを提供する。
【００２２】
請求項７に係る発明によれば、証明書に利用者の個人情報と利用者個人を撮影した画像を含めてプリントすることができる。これにより、記念品、証明書としての価値を更に高めることができる。
【発明の効果】
【００２３】
本発明に係る証明書発行システムによれば、記念品、証明書としての価値の高い証明書を発行することができる。
【発明を実施するための最良の形態】
【００２４】
以下、添付図面に従って本発明に係る証明書発行システムの好ましい実施の形態について詳説する。
【００２５】
本実施の形態では、シネマコンプレックスの利用者に映画の鑑賞を証明する証明書を発行する場合を例に説明する。
【００２６】
図１は、本発明に係る証明書発行システムが適用されたシネマコンプレックスの概略構成図である。同図に示すように、シネマコンプレックス１０は、複数の劇場１２Ａ〜１２Ｇと、各館共通のチケット売り場１４と、各館共通の入場ゲート１６と、証明書発行装置６０とを備えてなる。
【００２７】
利用者は、共通のチケット売り場１４で観賞を希望する映画のチケットを購入し、係員のいる入場ゲート１６を通って指定された劇場１２Ａ〜１２Ｇに入場する。入場ゲート１６を通る際、利用者は購入したチケットを係員に受け渡し、係員は受け取ったチケットの一部を切り取って利用者に返却する。映画の鑑賞後、その映画の鑑賞を証明する証明書の発行を希望する利用者は、証明書発行装置６０の設置場所まで行き、所要の操作を行って証明書の発行を行う。
【００２８】
チケット売り場１４には、複数台（ここでは３台）の発券装置２０が設置されており、個々の発券装置２０は発券管理サーバ４０に接続されている。
【００２９】
図２はチケット売り場１４に設置される発券装置２０の電気的構成を示すブロック図である。同図に示すように、発券装置２０は、相互にバス３８を介して接続された中央処理装置（ＣＰＵ）２２、メモリ２４、ハードディスク装置（ＨＤＤ）２６、ＬＡＮインターフェイス２８、通信インターフェイス３０と、通信インターフェイス３０にケーブルを介して接続されたモニタ３２、操作部３４、プリンタ３６とで構成されている。
【００３０】
ＣＰＵ２２は、発券装置全体の動作を統括制御する制御部として機能し、メモリ２４を作業領域として使用しながら、所定の制御プログラムに従って発券装置２０の各部を制御する。
【００３１】
ＨＤＤ２６には、ＣＰＵ２２が実行する制御プログラムや制御に必要な各種データ等が格納されている。ＨＤＤ２６に格納された制御プログラムは、メモリ２４にロードされて、ＣＰＵ２２による実行処理がなされる。
【００３２】
ＬＡＮインターフェイス２８は、ＣＰＵ２２の制御の下、ＬＡＮケーブルで接続された発券管理サーバ４０との間で所要のデータ通信を行う。
【００３３】
通信インターフェイス３０は、ＣＰＵ２２の制御の下、ケーブルを介して接続されたモニタ３２、操作部３４、プリンタ３６との間で所要のデータ通信を行う。
【００３４】
モニタ３２は、たとえばカラー液晶モニタで構成され、ＣＰＵ２２からの指示に従って所要の情報を表示する。
【００３５】
操作部３４は、キーボードとマウスを備えてなり、オペレータの操作に応じた情報をＣＰＵ２２に出力する。
【００３６】
プリンタ３６は、たとえばレーザプリンタで構成され、ＣＰＵ２２の制御の下、所定の用紙に所定のデータをプリントする。
【００３７】
発券管理サーバ４０は、個々の発券装置２０とデータ通信を行い、各劇場１２Ａ〜１２Ｇの各上映回ごとの空席状況をデータベースに基づいて総括的に管理する。すなわち、発券管理サーバ４０は、各劇場１２Ａ〜１２Ｇの各上映回ごとの空席状況を管理するデータベースをＨＤＤ等の記憶媒体に有しており、このデータベースを逐次更新しながら各劇場１２Ａ〜１２Ｇの各上映回ごとの空席状況を統括的に管理する。
【００３８】
次に、発券装置２０によるチケットの発券手順について説明する。
【００３９】
まず、利用者は上映スケジュールに基づいて鑑賞したい作品を決め、そのタイトル名と上映回（上映開始時間）をオペレータに通知する。
【００４０】
オペレータは、発券装置２０に対して、そのタイトル名と上映回を操作部３４から入力し、発券管理サーバ４０に空席状況を問い合わせる。発券管理サーバ４０は、問い合わせを受けたタイトル名、上映回の空席状況をデータベースに基づいて調査し、その結果を発券装置２０に送信する。
【００４１】
発券装置２０は、発券管理サーバ４０から送られた空席状況をモニタ３２に表示する。オペレータは、そのモニタ３２の表示を見て、利用可能な座席を利用者に案内する。このとき複数の座席を利用できる場合、オペレータは最も見やすい座席を利用者に案内する。利用者は、このオペレータの案内に従って座席を決定し、利用料金を支払ってチケットの発行を依頼する。
【００４２】
チケットの発行が依頼されると、オペレータは発券装置２０の操作部３４からチケットを発行するタイトル名、上映回、座席を入力し、チケット発行の指示を入力する。発券装置２０は、入力された情報に基づき所定のプリントデータを生成し、プリンタ３６で所定のチケット用紙にプリントして、チケットを生成する。生成されたチケットは、プリンタ３６の排出口から排出され、オペレータは排出されたチケットを取り出して、利用者に受け渡す。
【００４３】
また、発券装置２０は、チケットを発行すると、その発券情報（発行したチケットのタイトル名、上映回、座席の情報）を発券管理サーバ４０に通知する。発券管理サーバ４０は、通知された情報に基づいてデータベースを更新する。
【００４４】
以上により、チケットの発行処理が終了する。
【００４５】
図３は、発行されるチケットの一例を示す平面図である。同図に示すように、チケット５０は、チケット本体５０Ａと切取片５０Ｂとがミシン目５２を介して一体化された構成を有している。チケット本体５０Ａと切取片５０Ｂの双方には、それぞれ映画館名（○△コンプレックス）、上映タイトル（＊＊＊＊＊＊＊）、上映日（２００４／１２／２４）、上映時間（１２：００−１４：３０）、劇場名（第３劇場）、座席番号（Ｇ−１２）等がプリントされる。また、チケット本体５０Ａには、これらの文字情報をコード化した二次元バーコード５４がプリントされる。すなわち、発券装置２０は、プリントデータの生成時に、チケット５０の表面に印字される文字情報（映画館名、上映タイトル、上映日、上映時間、劇場名、座席番号）をコード化した二次元バーコードを生成し、生成した二次元バーコードと共に文字情報が所定のレイアウトでチケット表面にプリントされるようにプリントデータを生成する。
【００４６】
チケット５０は、利用者が入場ゲート１６を通過する際、劇場係員によって切取片５０Ｂがミシン目５２に沿って切り取られる。切り取られた切取片５０Ｂは係員によって回収され、チケット本体５０Ａは半券として利用者に返却される。利用者は、返却されたチケット本体５０Ａを持って劇場に入場し、指定された座席で映画を鑑賞する。
【００４７】
図４は証明書発行装置６０の概略構成図であり、図５は、その電気的構成を示すブロック図である。
【００４８】
同図に示すように、証明書発行装置６０は、デジタルカメラ６２、モニタ６４、タッチパネル６６、プリンタ６８、課金装置７０、バーコードリーダ７２、制御装置８０で構成されている。
【００４９】
デジタルカメラ６２は、制御装置８０の制御の下、被写体となる利用者を撮像し、撮像した画像データを制御装置８０に出力する。
【００５０】
モニタ６４は、たとえばカラー液晶モニタで構成されており、制御装置８０の制御の下、デジタルカメラ６２の撮影画像や各種の操作案内等を表示する。
【００５１】
タッチパネル６６は、モニタ６４の表示画面上に設けられており、その押圧位置座標データを検出して、制御装置８０に出力する。
【００５２】
プリンタ６８は、たとえばカラーサーマルプリンタで構成されており、制御装置８０の制御の下、所定のカラー印画紙に証明書データを印画して、プリント排出口８０Ａから排出する。
【００５３】
課金装置７０は、所定のコイン投入口７０Ａから投入されるコインを検出し、検出した入金情報を制御装置８０に出力する。
【００５４】
バーコードリーダ７２は、所定の読取部にかざされたチケット本体５０Ａから二次元バーコード５４を読み取り、読み取った情報を制御装置８０に出力する。
【００５５】
制御装置８０は、ＣＰＵ８２、メモリ８４、ＨＤＤ８６、通信インターフェース８８等で構成され、互いにバス９０で接続されている。
【００５６】
ＣＰＵ８２は、証明書発行装置全体の動作を統括制御する制御部として機能し、メモリ８４を作業領域として使用しながら、所定の制御プログラムに従って証明書発行装置６０の各部を制御する。
【００５７】
ＨＤＤ８６には、ＣＰＵ８２が実行する制御プログラムや制御に必要な各種データ等が格納されている。また、このＨＤＤ８６には、証明書にプリントするための記念画像のデータと、テンプレートのデータとが格納されている。記念画像のデータは、各劇場１２Ａ〜１２Ｇで上演されているタイトルごとに用意されており、そのタイトルの映画を代表する画像がタイトル名に関連付けられてＨＤＤ８６に格納されている。
【００５８】
通信インターフェイス８８は、ＣＰＵ８２の制御の下、ケーブルを介して接続されたデジタルカメラ６２、モニタ６４、タッチパネル６６、プリンタ６８、課金装置７０、バーコードリーダ７２との間で所要のデータ通信を行う。
【００５９】
次に、証明書発行装置６０による証明書発行の手順について説明する。
【００６０】
鑑賞した映画の証明書の発行を希望する者は、モニタ６４に表示される操作指示に従ってタッチパネル６６を操作し、証明書の発行を受ける。
【００６１】
図６は、証明書発行装置６０による証明書の発行処理の手順を示すフローチャートである。
【００６２】
まず、利用者は、所定の利用料金をコイン投入口７０Ａから投入する（ステップＳ１０）。課金装置７０は、コイン投入口７０Ａから投入されたコインを検出し、検出した入金情報を制御装置８０に出力する。
【００６３】
制御装置８０は、この課金装置７０からの入金情報に基づいて正規の利用料金が投入されたか否か判定する（ステップＳ１１）。そして、正規の利用料金が投入されたと判定すると、制御装置８０は、証明書の発行処理の開始を指示する。
【００６４】
まず、制御装置８０は、チケット本体５０Ａに表示された二次元バーコード５４をバーコードリーダ７２に読み取らせる旨のメッセージをモニタ６４に表示させる。利用者は、このモニタ６４の表示されたメッセージに従ってチケット本体５０Ａをバーコードリーダ７２にかざし、その表面にプリントされた二次元バーコード５４をバーコードリーダ７２に読み取らせる。
【００６５】
バーコードリーダ７２は、かざされたチケット本体５０Ａから二次元バーコード５４を読み取り、読み取った情報を制御装置８０に出力する（ステップＳ１２）。
【００６６】
バーコードリーダ７２で読み取られた情報が、制御装置８０に入力されると、制御装置８０は、次に、証明書に利用者の写真を写し込むか否かを問うメッセージをモニタ６４に表示させる。利用者は、タッチパネル６６を利用して、写真の要否を入力する。制御装置８０は、このタッチパネル６６からの入力に基づいて写真撮影の要否を判定する（ステップＳ１３）。
【００６７】
ここで、利用者が自己の写真の写し込みを希望し、写真撮影が必要と判断すると、制御装置８０は、デジタルカメラ７８を制御し、利用者の撮影処理を行う（ステップＳ１４）。この撮影に際して、モニタ６４には、デジタルカメラ７８で撮像されたスルー画像が表示され、利用者は、このモニタ６４に表示されたスルー画像を見て、立ち位置等を調整し、構図の調整を行う。そして、構図が決まったところでタッチパネル６６から撮影実行の指示を入力する。制御装置８０は、このタッチパネル６６からの入力に応じて、利用者の画像を撮影する。
【００６８】
デジタルカメラ５８で撮影が行われると、その撮影された画像データが制御装置８０に出力される。制御装置８０は、このデジタルカメラ５８から出力された撮影された画像データを取得し、証明書として所定の印画紙にプリントするための証明書データ（画像データ) を生成する（ステップＳ１５）。
【００６９】
この場合、まず、制御装置８０は、バーコードリーダ７２から読み取られた映画のタイトル情報から対応する記念画像のデータをＨＤＤ８６から読み出す。そして、読み出した記念画像と、デジタルカメラ７８で撮影した利用者の画像と、バーコードリーダ７２から読み取った情報（映画館名、上映タイトル、上映日、上映時間、劇場名、座席番号）とを所定のテンプレート上に配置し、証明書データを生成する。
【００７０】
図７は証明書に利用者の写真を写し込む場合のプリント画像の一例を示す図である。同図に示すように、テンプレート１００には、記念画像表示領域１０２と、利用者画像表示領域１０４と、文字情報表示領域１０６とが用意されており、記念画像表示領域１０２にはＨＤＤ８６から読み出した記念画像が、利用者画像表示領域１０４には、デジタルカメラ７８で撮像した利用者の画像が合成される。また、文字情報表示領域１０６には、バーコードリーダ７２から読み取った情報と、観賞を証明する旨の文言が記入される。
【００７１】
なお、上記ステップＳ１３で撮影不要と判定した場合、制御装置８０は、記念画像と、バーコードリーダ７２から読み取った情報とに基づいて証明書データを生成する。
【００７２】
この場合、まず、制御装置８０は、バーコードリーダ７２から読み取られた映画のタイトル情報から対応する記念画像のデータをＨＤＤ８６から読み出し、読み出した記念画像と、バーコードリーダ７２から読み取った情報（映画館名、上映タイトル、上映日、上映時間、劇場名、座席番号）とを所定のテンプレート上に配置し、証明書データを生成する。
【００７３】
図８は証明書に利用者の写真を写し込まない場合のプリント画像の一例を示す図である。同図に示すように、テンプレート１１０には、記念画像表示領域１１２と、文字情報表示領域１１４とが用意されており、記念画像表示領域１１２にはＨＤＤ８６から読み出した記念画像が合成され、文字情報表示領域９６には、バーコードリーダ７２から読み取った情報と、観賞を証明する旨の文言が記入される。
【００７４】
生成された証明書データはモニタ６４に表示される。利用者は、このモニタ６４に表示された証明書データを確認し、そのプリントの要否をタッチパネル６６から入力する。制御装置８０は、タッチパネル６６からの入力に基づき生成した証明書データのプリントの要否を判定する（ステップＳ１６）。
【００７５】
そして、証明書データをプリントすると判定した場合、制御装置８０は、生成した証明書データからプリントデータを生成し、生成したプリントデータをプリンタ６８に出力する。プリンタ６８は、制御装置８０から出力されたプリントデータを所定の印画紙にプリントし（ステップＳ１７）、排出口６８Ａから排出する。
【００７６】
一方、証明書データをプリントしない判定した場合は、投入された利用料金を課金装置７０の返却口７０Ｂから返却する（ステップＳ１８）。
【００７７】
以上一連の工程で証明書の発行処理が完了する。証明書のプリント処理を行った場合、利用者は、排出口６８Ａから排出されたプリント物を証明書として受け取る。
【００７８】
このように、本実施の形態の証明書発行システムによれば、チケットとは別に記念画像がプリントされた証明書を発行することができるので、記念、証明として価値の高い証明書を発行することができる。
【００７９】
また、必要に応じて利用者の写真も写し込むことができるので、更に証明書、記念品としての利用価値を高めることができる。
【００８０】
なお、本実施の形態では、証明書に記念画像と利用内容の情報、利用者の写真を写し込むようにしているが、これ以外の情報も入力できるようにしてもよい。たとえば、利用者の氏名等を入力できるようにしてもよい。この場合、たとえば証明書発行時にタッチパネル６６を利用して、利用者の氏名を入力させ、文字情報表示領域１０６、１１４に入力された氏名を表示させるようにする。これにより、証明書、記念品としての利用価値をさらに高めることができる。
【００８１】
また、本実施の形態では、証明書に利用者を写し込む際、デジタルカメラ７８で撮影した画像を利用するようにしているが、利用者が持ち込んだ画像を利用するようにしてもよい。たとえば、証明書発行装置６０にメモリカードリーダを設け、このメモリカードリーダに利用者の画像が格納されたメモリカードを装填して、証明書に写し込む利用者の画像を取得するようにしてもよい。また、たとえば、証明書発行装置６０に赤外線通信ユニットを設け、この赤外線通信ユニットを利用して、赤外線通信機能を備えた携帯電話機、デジタルカメラ、ＰＤＡ、ノートＰＣ等から証明書に写し込む利用者の画像を取得するようにしてもよい。また、たとえば、証明書発行装置６０にＵＳＢ等の通信インターフェースを設け、この通信インターフェースにケーブル等を介して接続されたデジタルカメラ、ＰＤＡ、ノートＰＣ、携帯電話機等から証明書に写し込む利用者の画像を取得するようにしてもよい。
【００８２】
また、本実施の形態では、一つの映画タイトルに一つの記念画像を対応させてＨＤＤ８６に格納するようにしているが、一つの映画タイトルに複数の記念画像を対応させてＨＤＤ８６に格納し、利用者が任意に選択できるようにしてもよい。この場合、制御装置８０は、証明書データの生成時にバーコードリーダ７２で読み取った映画のタイトル情報から対応する複数の記念画像のデータをＨＤＤ８６から読み出し、読み出した記念画像の一覧をモニタ６４に表示させ、その中の一つをタッチパネル６６を利用して利用者に選択させる。なお、複数の記念画像を選択して、一つの証明書に所定のレイアウトで配置し、プリントするようにしてもよい。
【００８３】
同様にテンプレートを複数用意し、ユーザが使用するテンプレートを選択できるようにしてもよい。
【００８４】
また、本実施の形態では、証明書の発行回数を制限していないが、証明書の発行回数を１回のみに制限するようにしてもよい。この場合、たとえば、証明書が発行されると、バーコードリーダ７２で読み取った情報が、発行履歴としてＨＤＤ８６に記録されるようにする。制御装置８０は、証明書発行時にＨＤＤ８６に記録された発行履歴を参照し、バーコードリーダ７２から読み取った情報と同じ情報が存在する場合は、証明書の発行処理を終了し、再発行できない旨のメッセージをモニタ６４に表示する。
【００８５】
また、たとえば、チケット発行時にチケットにシリアル番号を付与し、そのシリアル番号を管理して、証明書の再発行を制限するようにしてもよい。すなわち、証明書が発行されると、その証明書の発行されたチケットのシリアル番号がＨＤＤ８６に記録されるようにする。制御装置８０は、証明書発行時にＨＤＤ８６に記録されたシリアル番号を参照し、同じシリアル番号が存在する場合は、証明書の発行処理を終了し、再発行できない旨のメッセージをモニタ６４に表示する。なお、この場合、シリアル番号は他の情報と共に二次元バーコード化し、バーコードリーダ７２により読み取るようにする。
【００８６】
また、本実施の形態では、証明書が発行可能な期間に制限を設けていないが、一定期間内にのみ証明書が発行できるシステムとしてもよい。この場合、たとえば、制御装置８０は、証明書発行時に上映日と上映時間の情報を取得し、上映終了から一定時間（たとえば、上映終了から１時間）が経過している場合は、証明書の発行処理を終了し、有効期限切れで証明書を発行できない旨のメッセージをモニタ６４に表示する。
【００８７】
さらに、本実施の形態では、記念画像を制御装置８０のＨＤＤ８６に格納するようにしているが、記念画像の格納先は、これに限定されるものではなく、たとえば、制御装置８０とネットワークを通じて接続されたサーバ上に格納するようにしてもよい。
【００８８】
また、本実施の形態では、施設の利用内容（映画のチケット情報）を二次元バーコードでコード化し、チケットにプリントするようにしているが、施設の利用内容をチケットに記録する手段は、これに限定されるものではない。たとえば、施設の利用内容をＩＣタグ（無線タグ）に記録し、ＩＣタグリーダを用いて、読み取るようにしてもよい。
【００８９】
また、本実施の形態では、映画の鑑賞を証明する証明書の発行システムに本発明を適用した場合を例に説明したが、本発明の適用は、これに限定されるものではない。たとえば、演劇やコンサートの鑑賞、スポーツ観戦等を証明する証明書の発行システムや、万博や展覧会等の各種イベントの参加を証明する証明書の発行システム、遊園地や博物館、テーマパークなどの入場を証明する証明書の発行システム、登山を証明する証明書の発行システム等にも同様に適用することができる。
【図面の簡単な説明】
【００９０】
【図１】本発明に係る証明書発行システムが適用されたシネマコンプレックスの概略構成図
【図２】発券装置の電気的構成を示すブロック図
【図３】チケットの一例を示す平面図
【図４】証明書発行装置の概略構成図
【図５】証明書発行装置の電気的構成を示すブロック図
【図６】証明書発行装置による証明書の発行処理の手順を示すフローチャート
【図７】証明書に利用者の写真を写し込む場合のプリント画像の一例を示す図
【図８】証明書に利用者の写真を写し込まない場合のプリント画像の一例を示す図
【符号の説明】
【００９１】
１０…シネマコンプレックス、１２Ａ〜１２…劇場、１４…チケット売り場、１６…入場ゲート、２０…発券装置、２２…中央処理装置（ＣＰＵ）、２４…メモリ、２６…ハードディスク装置（ＨＤＤ）、２８…ＬＡＮインターフェイス、３０…通信インターフェイス、３２…モニタ、３４…操作部、３６…プリンタ、４０…発券管理サーバ、５０…チケット、５０Ａ…チケット本体、５０Ｂ…切取片、５２…ミシン目、５４…二次元バーコード、６０…証明書発行装置、６２…デジタルカメラ、６４…モニタ、６６…タッチパネル、６８…プリンタ、７０…課金装置、７０Ａ…コイン投入口、７０Ｂ…返却口、７２…バーコードリーダ、８０…制御装置、８０Ａ…プリント排出口、８２…ＣＰＵ、８４…メモリ、８６…ＨＤＤ、８８…通信インターフェース、９０…バス、１００…テンプレート、１０２…記念画像表示領域、１０４…利用者画像表示領域、１０６…文字情報表示領域、１１０…テンプレート、１１２…記念画像表示領域、１１４…文字情報表示領域
【図１】
2006163717.tif 000003
【図２】
2006163717.tif 000004
【図３】
2006163717.tif 000005
【図４】
2006163717.tif 000006
【図５】
2006163717.tif 000007
【図６】
2006163717.tif 000008
【図７】
2006163717.tif 000009
【図８】
2006163717.tif 000010